(57)【特許請求の範囲】
【請求項１】
クラブ長さ及びクラブヘッド重量の異なる複数本のゴルフクラブからなるゴルフクラブセットにおいて、次の数１で表される各ゴルフクラブのインパクト直前におけるシャフト軸周りのクラブヘッドの回転トルク（Ｎx)を実質的に同一としたことを特徴とするゴルフクラブセット：
【数１】
0003544696.tif 000007
ここで、Ｉxはシャフト軸に沿った第１軸（ｘ）の周りのクラブヘッドの慣性モーメント、Ｉzは第１軸と直交してクラブスイング方向に延びる第２軸（ｚ）の周りのクラブヘッドの慣性モーメント、Ｉyは第１及び第２軸と直交する第３軸（ｙ）の周りのクラブヘッドの慣性モーメント、Ｗx，Ｗz，Ｗyはそれぞれ第１軸，第２軸及び第３軸の周りのクラブヘッドの角速度である。
【請求項２】
各ゴルフクラブにおける第１軸の周りのクラブヘッドの慣性モーメント（Ｉx）が実質的に同一であり、各ゴルフクラブにおける第２軸及び第３軸の周りのクラブヘッドの慣性モーメントの差（Ｉy−Ｉz）とインパクト直前における第２軸及び第３軸の周りの角速度（Ｗz，Ｗy）との積値（絶対値）が実質的に同一であることを特徴とする請求項１記載のゴルフクラブセット。
【請求項３】
各ゴルフクラブにおける第１軸の周りのクラブヘッドの慣性モーメント（Ｉx）がクラブ長さの変化に従ってほぼ比例的に変化しており、各ゴルフクラブにおける第２軸及び第３軸の周りのクラブヘッドの慣性モーメントの差（Ｉy−Ｉz）とインパクト直前における第２軸及び第３軸の周りの角速度（Ｗz，Ｗy）との積値（絶対値）が第１軸の周りのクラブヘッドの慣性モーメント（Ｉx）と第１軸周りの角加速度（ｄＷx／ｄｔ）との積値の変化量と実質的に同一の変化量で変化していることを特徴とする請求項１記載のゴルフクラブセット。
【請求項４】
各ゴルフクラブがクラブシャフトと、クラブシャフトの先端に固着されるネック部を一体に有するクラブヘッドとを備え、各ゴルフクラブ又は１つのゴルフクラブを除く他のゴルフクラブのネック部にクラブヘッドの慣性モーメントを調整する重量体を設けたことを特徴とする請求項２記載のゴルフクラブセット。
【請求項５】
各ゴルフクラブがクラブシャフトと、該クラブシャフトの先端に固着されるネック部及びヘッド本体部を有するクラブヘッドとを備え、各ゴルフクラブ又は１つのゴルフクラブを除く他のゴルフクラブのクラブヘッドのヘッド本体部にクラブヘッドの慣性モーメントを調整する重量体を設けたことを特徴とする請求項３記載のゴルフクラブセット。
【発明の詳細な説明】
【０００１】
【産業上の利用分野】
本発明は複数本のゴルフクラブからなるゴルフクラブセットに関し、更に詳しくは、各クラブのインパクト時のシャフト軸周りのクラブヘッドの回転トルクを実質的に同一にしたゴルフクラブセットに関する。
【０００２】
【従来の技術】
一般に、クラブ長さ及びクラブヘッド重量の異なる複数本のゴルフクラブを一定条件のもとに相関性をもたせて揃えたものをゴルフクラブセットと称している。例えば、ウッドクラブの場合、クラブＮｏ．１のドライバーからクラブＮｏ．５のクリークまでの５本のウッドクラブの中から幾つかを選択してセットを構成するのが一般的である。また、アイアンクラブの場合、クラブＮｏ．１のドライビングアイアンからクラブＮｏ．９のニブリックまでの９本とピッチングウェッジ、アプローチウェッジ、サンドウェッジ等の特殊クラブの中から幾つかを選択してセットを構成するのが一般的である。また、ヘッド材料が多様化し設計自由度が増大した近年においては、両者を機能的に統合したゴルフクラブセットも出現している。
【０００３】
そして、セットを構成する複数本のゴルフクラブは、同一の感覚でスイングすることができ且つ各クラブで打球されたボールが予め設定された軌跡を描いて所定距離を飛ぶように、クラブ長さ、ヘッドの形状及び重量、ライ、ロフト等に相関性をもたせて設計されている。
【０００４】
【発明が解決しようとする課題】
しかし、現状のゴルフクラブセットでは、ゴルファーが一定のスイングを行っても、クラブ長さの長いゴルフクラブほどインパクト時にクラブヘッドのフェースが開いた状態になり打球がスライスする傾向があり、また、クラブ長さの短いゴルフクラブほどインパクト時にクラブヘッドのフェースが閉じた状態になり打球がフックする傾向がある。その原因の１つとして、ゴルフスイングにおいてはボールを打球するインパクト直前のクラブヘッドの返り、すなわちクラブシャフトのシャフト軸の周りのクラブヘッドの回転が重要であり、このクラブヘッドの返り具合が打球の方向性に大きく影響することが知られている。
【０００５】
そこで、従来より、セットを構成する各ゴルフクラブのクラブヘッドの返り具合を同一にするための試みがなされてきたが、従来はこのクラブヘッドの返り易さを決定する要素としてシャフト軸の周りのクラブヘッドの慣性モーメントのみが着目されていた。例えば特開平１−１６６７８１号公報に示されるゴルフクラブセットは、各ゴルフクラブのシャフト軸周りの慣性モーメントを同一にすることで各ゴルフクラブのクラブヘッドの返り具合を同一にしようとするものである。
【０００６】
しかしながら、各ゴルフクラブのシャフト軸周りの慣性モーメントを同一にしただけでは不十分である。なぜなら、クラブヘッドの返りはシャフト軸周りのクラブヘッドの回転トルクによって引き起こされるものであり、この回転トルクはインパクト付近（通常はインパクトの直前）で大きさが最大となるクラブの角速度の影響を大きく受けるからである。
【０００７】
今、ゴルフクラブの慣性主軸座標系として、ゴルフクラブのシャフトの中心軸（シャフト軸）に沿った主軸を第１軸（ｘ）とし、この第１軸（ｘ）と直交してクラブのスイング方向に延びる主軸を第２軸（ｚ）とし、第１軸（ｘ）及び第２軸（ｚ）と直交する主軸を第３軸（ｙ）とすると、第１軸（ｘ）の周りのクラブヘッドの回転トルクＮxは次の数２で表すことができる。
【０００８】
【数２】
0003544696.tif 000002
ここで、Ｉxは第１軸（ｘ）の周りのクラブヘッドの慣性モーメント、Ｉzは第２軸（ｚ）周りのクラブヘッドの慣性モーメント、Ｉyは第３軸（ｙ）の周りのクラブヘッドの慣性モーメント、Ｗx，Ｗz，Ｗyはそれぞれ第１軸，第２軸及び第３軸の周りのクラブヘッドの角速度である。
【０００９】
数２から明らかなように、シャフト軸すなわち第１軸（ｘ）周りのクラブヘッドの慣性モーメントＩxは第１軸（ｘ）周りのクラブヘッドの回転トルクＮxを生み出す要素の１つであるが、たとえ各ゴルフクラブの慣性モーメントＩxを同一にしても、他の要素との関係で回転トルクＮxは変動し得る。実験によれば、セットを構成する一般的な各ゴルフクラブで通常のスイングを行った場合、図３に示すように、第１軸（ｘ）周りのクラブヘッドの角加速度ｄＷx／ｄｔは各ゴルフクラブにおいてほぼ同一である。したがって、慣性モーメントＩxを同一にすれば、Ｉx・ｄＷx／ｄｔは同一になる。
【００１０】
一方、同図に示すように、各ゴルフクラブの第２軸（ｚ）及び第３軸（ｙ）周りの角速度Ｗz，Ｗyについては、角速度Ｗy，Ｗzの積Ｗy・Ｗzの値（絶対値）はインパクト付近（通常はインパクト直前）で最大になり、しかも、Ｗy・Ｗzの最大値（絶対値）はクラブ長さの増大に従ってほぼ比例的に増大する。
【００１１】
したがって、各ゴルフクラブにおけるインパクト直前の第１軸（ｘ）の周りのクラブヘッドの回転トルクＮxを同一にするためには、各ゴルフクラブの慣性モーメントＩxとの関係でインパクト直前における（Ｉy−Ｉz）Ｗy・Ｗzの大きさを調整する必要があることが判明した。
【００１２】
したがって、本発明の目的は、セットを構成する各ゴルフクラブのインパクト直前のクラブヘッドのフェースの向き（クラブヘッドの返り具合）をほぼ同一にすることができ、打球の方向を一定とすることができるゴルフクラブセットを提供することにある。
【００１３】
【課題を解決するための手段】
上記課題を解決するため、請求項１記載の発明は、クラブ長さ及びクラブヘッド重量の異なる複数本のゴルフクラブからなるゴルフクラブセットにおいて、上記数２で表される各ゴルフクラブのインパクト直前におけるシャフト軸周りのクラブヘッドの回転トルク（Ｎx)を実質的に同一としたことを特徴とする。
【００１４】
請求項２記載の発明は、請求項１記載のゴルフクラブセットにおいて、各ゴルフクラブにおける第１軸の周りのクラブヘッドの慣性モーメント（Ｉx）が実質的に同一であり、各ゴルフクラブにおける第２軸及び第３軸の周りのクラブヘッドの慣性モーメントの差（Ｉy−Ｉz）とインパクト直前における第２軸及び第３軸の周りの角速度（Ｗz，Ｗy）との積値（絶対値）が実質的に同一であることを特徴とする。
【００１５】
請求項３記載のゴルフクラブセットは、請求項１記載のゴルフクラブセットにおいて、各ゴルフクラブにおける第１軸の周りのクラブヘッドの慣性モーメント（Ｉx）がクラブ長さの変化に従ってほぼ比例的に変化しており、各ゴルフクラブにおける第２軸及び第３軸の周りのクラブヘッドの慣性モーメントの差（Ｉy−Ｉz）とインパクト直前における第２軸及び第３軸の周りの角速度（Ｗz，Ｗy）との積値（絶対値）が第１軸の周りのクラブヘッドの慣性モーメント（Ｉx）と第１軸周りの角加速度（ｄＷx／ｄｔ）との積値の変化量と実質的に同一の変化量で変化していることを特徴とする。
【００１６】
請求項４記載のゴルフクラブセットは、請求項２記載のゴルフクラブセットにおいて、各ゴルフクラブがクラブシャフトと、該クラブシャフトの先端に固着されるネック部を一体に有するクラブヘッドとを備え、各ゴルフクラブ又は１つのゴルフクラブを除く他のゴルフクラブのネック部にクラブヘッドの慣性モーメントを調整する重量体を設けたことを特徴とする。
【００１７】
請求項５記載のゴルフクラブセットは、請求項３記載のゴルフクラブセットにおいて、各ゴルフクラブがクラブシャフトと、該クラブシャフトの先端に固着されるネック部及びヘッド本体部を有するクラブヘッドとを備え、各ゴルフクラブ又は１つのゴルフクラブを除く他のゴルフクラブのクラブヘッドのヘッド本体部にクラブヘッドの慣性モーメントを調整する重量体を設けたことを特徴とする。
【００１８】
【作用】
請求項１記載のゴルフクラブセットにおいては、各ゴルフクラブのインパクト直前におけるクラブヘッドのシャフト軸周りの回転トルクＮxを同一にしたことにより、各ゴルフクラブのインパクト時のクラブフェースの向きを同一にできることとなり、打球の方向を同一にすることができる。
【００１９】
請求項２記載のゴルフクラブセットにおいては、各ゴルフクラブにおける第１軸の周りのクラブヘッドの慣性モーメントＩxを実質的に同一にした条件のもとで、各ゴルフクラブのインパクト時のクラブフェースの向きを同一にできるゴルフクラブセットを提供することができる。
【００２０】
請求項３記載のゴルフクラブセットにおいては、各ゴルフクラブにおける第１軸の周りのクラブヘッドの慣性モーメントＩxがクラブ長さの変化に従ってほぼ比例的に変化している条件のもとで、各ゴルフクラブのインパクト時のクラブフェースの向きを同一にできるゴルフクラブセットを提供することができる。
【００２１】
請求項４記載のゴルフクラブセットにおいては、各ゴルフクラブがクラブシャフトと、該クラブシャフトの先端に固着されるネック部を一体に有するクラブヘッドとを備え、各ゴルフクラブ又は１つのゴルフクラブを除く他のゴルフクラブのネック部にクラブヘッドの慣性モーメントを調整する重量体を設けることにより、既存のゴルフクラブの僅かな変更によって、各ゴルフクラブにおける第１軸の周りのクラブヘッドの慣性モーメントＩxを実質的に同一にした条件のもとで、各ゴルフクラブのインパクト時のクラブヘッドのフェースの向きを同一にできるゴルフクラブセットを容易に実現することができる。
【００２２】
請求項５記載のゴルフクラブセットにおいては、各ゴルフクラブがクラブシャフトと、該クラブシャフトの先端に固着されるネック部及びヘッド本体部を有するクラブヘッドとを備え、各ゴルフクラブ又は１つのゴルフクラブを除く他のゴルフクラブのクラブヘッドのヘッド本体部にクラブヘッドの慣性モーメントを調整する重量体を設けることにより、既存のゴルフクラブの僅かな変更によって、各ゴルフクラブにおける第１軸の周りのクラブヘッドの慣性モーメントＩxがほぼ比例的に変化する条件のもとで、各ゴルフクラブのインパクト時のクラブヘッドのフェースの向きを同一にできるゴルフクラブセットを容易に実現することができる。
【００２３】
【実施例】
以下、図面を参照して本発明の実施例につき説明する。
【００２４】
図１（ａ），（ｂ），（ｃ）は本発明をクラブＮｏ．３からクラブＮｏ．９までのアイアンクラブで構成されるゴルフクラブセットに適用した場合の第１実施例を示したものであり、そのセットを構成するアイアンクラブの１つを図示したものである。同図を参照すると、アイアンクラブ１０はネック部１２を一体に有するクラブヘッド１１と、このクラブヘッド１１のネック部１２に先端が挿入され固着されたクラブシャフト１３とを有し、クラブシャフト１３の基端側にはグリップ（不図示）が装着されている。すなわち、この第１実施例のクラブヘッド１１は、図１（ａ），（ｂ），（ｃ）に示すように、フェース（打球面）１１ｂ及びバック面１１ｃを有するヘッド本体部１１ａとこのヘッド本体部１１ａに一体のネック部１２とからなっている。各アイアンクラブの慣性主軸座標系として、クラブシャフト１３の中心軸（シャフト軸）に沿った主軸を第１軸（ｘ）とし、この第１軸（ｘ）と直交してクラブのスイング方向に延びる主軸（一般に、この主軸は第１軸と直交し、また、クラブヘッド１１のスイートスポットでフェース（打球面）１１ａと直交する鉛直面に対し平行に延び、且つ、水平である）を第２軸（ｚ）とし、第１軸（ｘ）及び第２軸（ｚ）に直交する主軸を第３軸（ｙ）とする。本発明の第１実施例は、このような既存形態のアイアンクラブ１０のネック部１２に質量分布の均一な棒状の重量体１４を貫通固着することにより実現される。
【００２５】
【表１】
0003544696.tif 000003
【００２６】
表１は本発明の第１実施例を適用したクラブＮｏ．３からクラブＮｏ．９までのアイアンクラブの長さと、重量体１４を取り付ける前の各主軸周りの慣性モーメントＩx，Ｉy，Ｉzと、第１軸（ｘ）の周りのクラブヘッド１１の角加速度ｄＷx／ｄｔと、インパクト直前における第２軸（ｚ）及び第３軸（ｙ）の周りのクラブヘッド１１の角速度Ｗz，Ｗyの積Ｗy・Ｗzの値（最大値）を示している。なお、各主軸周りの慣性モーメントＩx，Ｉy，Ｉzは、次の数３で求めることができる。
【００２７】
【数３】
Ｉ(x,y,z)  ＝ＩＧ(x,y,z)・ｍｄ2＝ｍｒ2＋ｍｄ2
ここでＩＧ(x,y,z)はそれぞれ対応する主軸（ｘ，ｙ，ｚ）と平行で且つクラブヘッド１１の重心を通る軸の周りの慣性モーメント、ｍはクラブヘッド１１の質量、ｒは回転半径、ｄは対応する主軸からクラブヘッド１１の重心までの距離である。
【００２８】
図３はこのゴルフクラブセットにおけるクラブＮｏ．３，６，９の各アイアンクラブのトップスイングからインパクトまでのスイング中の角加速度ｄＷx／ｄｔと角速度の積Ｗy・Ｗzの値の時間的変化を示したものである。図３から判るように、各クラブのトップスイングからインパクト直前までの各時点における第１軸（ｘ）の周りの角加速度ｄＷx／ｄｔはほぼ同一値をとり、インパクト直前の平均値は約−125.0rad/sec2である。そこで、表１では各アイアンクラブの第１軸（ｘ）の周りの角加速度ｄＷx／ｄｔを−125.0rad/sec2としている。また、表１における角速度の積Ｗy・Ｗzはインパクト直前の最大値（図３参照）をとったものであり、これをグラフで示すと、図４（ａ）に示すように、角速度の積Ｗy・Ｗzの値（｜Ｗy・Ｗz｜）はクラブ番手数（クラブＮｏ．）が増大する（クラブ長さが減少する）に従ってほぼ比例的に減少していることが判る。
【００２９】
表１に示すこれらのデータをもとに各アイアンクラブの第１軸（ｘ）の周りのクラブヘッド１１の回転トルクＮxを前述の数２により求めると、表１及び図４（ｃ）に示すように、インパクト直前における各アイアンクラブの回転トルクＮxは一定ではないことが判る。
【００３０】
【表２】
0003544696.tif 000004
【００３１】
そこで、本実施例においては、図１（ａ），（ｂ），（ｃ）及び表２に示すように、クラブＮｏ．３からクラブＮｏ．８までのアイアンクラブのクラブヘッド１１のネック部１２に質量Ｍが同一（0.02ｋｇ）の棒状重量体１４を設け、各アイアンクラブにおける第１軸（ｘ）の周りのクラブヘッド１１の慣性モーメントＩxが同一となるように、そして各ゴルフクラブにおける第２軸及び第３軸の周りのクラブヘッドの慣性モーメントの差（Ｉy−Ｉz）とインパクト直前における第２軸及び第３軸の周りの角速度Ｗz，Ｗyとの積値（｜（Ｉy−Ｉz）Ｗy・Ｗz｜）が実質的に同一になるように、各重量体１４の長さＬと取付け角度θを変化させたものである。なお、図１に示すように、重量体１４の軸線は第２軸（ｚ）と第３軸（ｙ）でなすｙ−ｚ平面内に位置しており、重量体１４は第１軸（ｘ）を中心としてＬ／２の長さ分ずつ対称に配設されている。そしてｙ−ｚ平面上で第２軸（ｚ）から時計方向に重量体１４の取付け角度θを定めている。
【００３２】
上述したように、クラブセットにおいては角速度Ｗy，Ｗzの積値（｜Ｗy・Ｗz｜）はクラブ長さが長くなるに従ってほぼ直線的（比例的）に増大しているので（図４（ａ）参照）、各アイアンクラブの慣性モーメントＩxを同一にする場合、各アイアンクラブにおけるインパクト直前の第１軸（ｘ）の周りのクラブヘッド１１の回転トルクＮxを同一にするためには、各ゴルフクラブにおける第２軸及び第３軸の周りのクラブヘッドの慣性モーメントの差（Ｉy−Ｉz）とインパクト直前における第２軸及び第３軸の周りの角速度Ｗz，Ｗyとの積（｜（Ｉy−Ｉz）Ｗy・Ｗz｜）を同一にする必要がある。それ故、第１実施例では、図４（ｂ）に示すように、各アイアンクラブの番手数（クラブＮｏ．）の増大に従い慣性モーメントの差（｜Ｉy−Ｉz｜）を双曲線に沿うように変化させている。
【００３３】
表２に示すこれらのデータをもとに各アイアンクラブの第１軸（ｘ）の周りのクラブヘッド１１の回転トルクＮxを前述の数２により求めると、第１実施例の重量体取付け後の各アイアンクラブにおけるインパクト直前の第１軸（ｘ）の周りのクラブヘッド１１の回転トルクＮxは表２及び図４（ｃ）に示すように同一値（−0.250Ｎｍ）になることが判る。
【００３４】
なお、図４（ａ）〜（ｃ）における縦軸はクラブＮｏ．９のアイアンクラブの値に対する他の各アイアンクラブの値の比を示している。
【００３５】
図２（ａ），（ｂ），（ｃ）は本発明を表１に示すクラブＮｏ．３からクラブＮｏ．９までのアイアンクラブで構成されるゴルフクラブセットに適用した場合の第２実施例を示したものであり、そのセットを構成するアイアンクラブの１つを図示したものである。同図において上記第１実施例と同様の構成要素には同一の参照符号が付してある。
【００３６】
【表３】
0003544696.tif 000005
【００３７】
この第２実施例では、表３に示すように、クラブＮｏ．３からクラブＮｏ．８までのアイアンクラブ１０のクラブヘッド１１のネック部１２に実質的に両端のみに質量を有する重量体１５が貫通固着されている。各重量体１５の質量Ｍは同一（0.02ｋｇ）である。この第２実施例においても、各アイアンクラブにおける第１軸（ｘ）の周りのクラブヘッド１１の慣性モーメントＩxが同一となるように、そして各ゴルフクラブにおける第２軸（ｚ）及び第３軸（ｙ）の周りのクラブヘッド１１の慣性モーメントの差（Ｉy−Ｉz）とインパクト直前における第２軸及び第３軸の周りの角速度Ｗz，Ｗyとの積値（｜（Ｉy−Ｉz）Ｗy・Ｗz｜）が実質的に同一になるように、各重量体１４の長さＬと取付け角度θを変化させている。
【００３８】
表３に示すこれらのデータをもとに各アイアンクラブの第１軸（ｘ）の周りのクラブヘッド１１の回転トルクＮxを前述の数２により求めると、第２実施例の重量体取付け後の各アイアンクラブにおけるインパクト直前の第１軸（ｘ）の周りのクラブヘッド１１の回転トルクＮxは表３に示すように同一値（−0.250Ｎｍ）になることが判る。
【００３９】
なお、上記第１実施例及び第２実施例において、第１軸（ｘ）線上における重量体１４，１５の取付け位置は第１軸（ｘ）の周りのクラブヘッド１１の回転トルクＮxに影響しない。なぜなら、重量体１４，１５の取付け位置（第１軸上の位置）をΔｘだけ変化ときの各主軸周りの慣性モーメントの変化量ΔＩx，ΔＩy，ΔＩzは次の数４に示すように０であるからである。
【００４０】
【数４】
ΔＩx＝０
ΔＩy＝ΔＩz＝Ｍ・Δｘ2
∴ΔＩy−ΔＩz＝０
【００４１】
したがって、クラブヘッド１１のネック部１２に対する重量体１４，１５の取付け位置は第１軸（ｘ）上の任意位置とすることができる。
【００４２】
さらに、上述した第１，第２実施例では、クラブＮｏ．９のアイアンクラブを除く他のアイアンクラブに重量体１４，１５を設けることでこれら他のアイアンクラブの回転トルクＮxの値をクラブＮｏ．９のアイアンクラブの回転トルクＮxに一致させたが、このような態様に限定されず、重量体１４，１５を省略するアイアンクラブはクラブＮｏ．９以外の何れのクラブであってもよく、また、セットを構成する全てのアイアンクラブに重量体１４，１５を設けてもよい。
【００４３】
図５（ａ），（ｂ），（ｃ）は本発明を表１に示すクラブＮｏ．３からクラブＮｏ．９までのアイアンクラブで構成されるゴルフクラブセットに適用した場合の第３実施例を示したものであり、そのセットを構成するアイアンクラブの１つを図示したものである。同図において上記第１実施例と同様の構成要素には同一の参照符号が付してある。
【００４４】
【表４】
0003544696.tif 000006
【００４５】
この第３実施例では、図５及び表４に示すように、クラブＮｏ．３からクラブＮｏ．９までのアイアンクラブ１０のクラブヘッド１１のヘッド本体部１１ａのバック面１１ｃ側に重量体１６が固着されている。ここで、重量体１６の取付け位置は第２軸（ｚ）からの距離をａ、第２軸（ｙ）からの距離をｂとして定めている（図５（ａ），（ｂ）参照）。この第３実施例においては、各アイアンクラブにおける第１軸（ｘ）の周りのクラブヘッド１１の慣性モーメントＩxは、図６（ａ）に示すように、重量体１６の取付け前も取付け後もクラブ番手数（クラブＮｏ．）の増大に従いほぼ比例的に増大している。そして各ゴルフクラブにおける第２軸（ｚ）及び第３軸（ｙ）の周りのクラブヘッド１１の慣性モーメントの差（Ｉy−Ｉz）とインパクト直前における第２軸及び第３軸の周りの角速度Ｗz，Ｗyとの積値（｜（Ｉy−Ｉz）Ｗy・Ｗz｜）は慣性モーメントＩxと第１軸（ｘ）周りの角加速度ｄＷx／ｄｔとの積値の変化量と実質的に同一の変化量で変化するように、各重量体１６の質量（Ｍ）と各主軸（ｘ，ｙ，ｚ）に対する取付け位置ａ，ｂを変化させたものである。このとき、前述したように、Ｗy・Ｗzの値がほぼ比例的に変化する条件のもとで、図６（ｂ）に示すように、重量体取付け前の各アイアンクラブではＩy−Ｉzの値がほぼ直線的に変化しているのに対し、重量体取付け後の各アイアンクラブではＩy−Ｉzの値は曲線的に変化するものとなっている。
【００４６】
表４に示すこれらのデータをもとに各アイアンクラブの第１軸（ｘ）の周りのクラブヘッド１１の回転トルクＮxを前述の数２により求めると、第３実施例の各アイアンクラブにおけるインパクト直前の第１軸（ｘ）の周りのクラブヘッド１１の回転トルクＮxは表４及び図６（ｃ）に示すように同一値（−0.257Ｎｍ）となることが判る。
【００４７】
なお、図６（ａ），（ｂ）における縦軸は各アイアンクラブの値を示しており、同図（ｃ）における縦軸はクラブＮｏ．９のアイアンクラブの値に対する他の各アイアンクラブの値の比を示している。
【００４８】
この第３実施例ではセットを構成する全てのアイアンクラブのクラブヘッド１１に重量体１６を設けたが、何れか１つのアイアンクラブにおいて重量体１６を省略することが可能である。
【００４９】
以上、本発明をアイアンクラブのセットに適用した場合について説明したが、本発明をウッドクラブのセットにも適用できることは明らかであろう。また、セットを構成するゴルフクラブの番手数（クラブＮｏ．）の組合せは任意に選択可能である。
【００５０】
【発明の効果】
以上の説明から明らかなように、本発明によれば、セットを構成する各ゴルフクラブにおけるインパクト直前のシャフト軸（第１軸）の周りのクラブヘッドの回転トルクを同一にすることにより、セットを構成する各ゴルフクラブのインパクト直前のクラブヘッドのフェースの向き（クラブヘッドの返り具合）を同一にすることができるので、一定のスイングのもとで打球の方向を一定とすることができるゴルフクラブセットを提供することができる。
【図面の簡単な説明】
【図１】本発明をアイアンクラブセットに適用した場合の第１実施例を示し、（ａ）はアイアンクラブをクラブヘッドのトウ側より見た要部側面図、（ｂ）はクラブヘッドのフェース側より見た要部正面図、（ｃ）はシャフト軸上方より見た要部平面図である。
【図２】本発明をアイアンクラブセットに適用した場合の第２実施例を示し、（ａ）はアイアンクラブをクラブヘッドのトウ側より見た要部側面図、（ｂ）はクラブヘッドのフェース側より見た要部正面図、（ｃ）はシャフト軸上方より見た要部平面図である。
【図３】セットを構成するクラブＮｏ．３，６，９のアイアンクラブの重量体取付け前のトップスイングからインパクトに至るスイング中のｄＷx／ｄｔ及びＷy・Ｗzの変化を示すグラフである。
【図４】（ａ）はセットを構成する各アイアンクラブのインパクト直前におけるＷy・Ｗzの最大値（絶対値）の比を示すグラフ、（ｂ）は各アイアンクラブのＩy−Ｉzの値（絶対値）の比を示すグラフ、（ｃ）は各アイアンクラブの重量体取付け前と第１及び第２実施例の重量体取付け後の（Ｉy−Ｉz）Ｗy・Ｗzの値（絶対値）の比を比較して示すグラフである。
【図５】本発明をアイアンクラブセットに適用した場合の第３実施例を示し、（ａ）はアイアンクラブをシャフト軸上方より見た要部平面図、（ｂ）はクラブヘッドのソール側より見た要部底面図、（ｃ）はクラブヘッドのフェース側より見たクラブ全体の概略正面図である。
【図６】（ａ）はセットを構成する各アイアンクラブの重量体取付け前と第３実施例の重量体取付け後のＩxの値を示すグラフ、（ｂ）は各アイアンクラブの重量体取付け前と第３実施例の重量体取付け後のＩy−Ｉzの値を示すグラフ、（ｃ）は各アイアンクラブの重量体取付け前と第３実施例の重量体取付け後の回転トルクＮxの値（絶対値）の比を比較して示すグラフである。
【符号の説明】
１０    アイアンクラブ
１１    クラブヘッド
１１ａ    ヘッド本体部
１１ｂ    フェース
１１ｃ    バック面
１２    ネック部
１３    クラブシャフト
１４，１５，１６    重量体
【図１】
0003544696.tif 000008
【図２】
0003544696.tif 000009
【図３】
0003544696.tif 000010
【図４】
0003544696.tif 000011
【図５】
0003544696.tif 000012
【図６】
0003544696.tif 000013